(57)【特許請求の範囲】
【請求項１】
回路基板と、
回路基板に実装された光電変換素子と、
光ファイバの端部に取り付けられた光コネクタに直接押し当てられて接続され、前記光ファイバの端部と前記光電変換素子とを光学的に結合するための光学部品と、
前記回路基板に固定され、前記光学部品を支持する支持部材と
を備え、
前記光学部品は、前記光コネクタと対向させられる連結面及び前記光コネクタの接続方向と直交する方向にて相互に離間した１対の側面を有し、
前記支持部材は、前記光学部品の側面とそれぞれ対向する１対の側壁、及び、前記側壁に設けられ、前記光学部品の側面に向けて凹状若しくは凸状の凹凸部を有し、
前記光学部品の側面は、接着剤を介して前記支持部材の側壁にそれぞれ固定され、
前記接着剤は前記側壁の凹凸部の表面にも付着している
光モジュール。
【請求項２】
前記凹凸部は、前記側壁同士の離間方向にて、前記側壁を貫通している請求項１に記載の光モジュール。
【請求項３】
前記接着剤は紫外線硬化型である請求項２に記載の光モジュール。
【請求項４】
前記光学部品の側面は、前記側壁に向かって凸状又は凹状の凸凹部を有し、前記凸凹部の表面にも前記接着剤が付着している請求項１乃至３の何れか一項に記載の光モジュール。
【請求項５】
前記光学部品は、前記光コネクタの接続方向にて前記連結面とは反対側に位置する背面を有し、
前記支持部材は、前記光学部品の前記背面と対向する端壁を有し、
前記光学部品の背面は、第２接着剤を介して前記支持部材の端壁に固定され、
前記光学部品の背面と前記端壁との間に配置されたスペーサ部材を更に備える請求項１乃至４の何れか一項に記載の光モジュール。
【請求項６】
前記スペーサ部材は、前記端壁に係合する係合部を有する請求項５に記載の光モジュール。
【請求項７】
回路基板と、
回路基板に実装された光電変換素子と、
光ファイバの端部に取り付けられた光コネクタとの接続に供され、前記光ファイバの端部と前記光電変換素子とを光学的に結合するための光学部品と、
前記回路基板に固定され、前記光学部品を支持する支持部材と
を備え、
前記光学部品は、前記光コネクタと対向させられる連結面と、前記光コネクタの接続方向と直交する方向にて相互に離間した１対の側面と、前記光コネクタの接続方向にて前記連結面とは反対側に位置する背面とを有し、
前記支持部材は、前記光学部品の側面とそれぞれ対向する１対の側壁と、前記側壁に設けられ、前記光学部品の側面に向けて凹状若しくは凸状の凹凸部と、前記光学部品の前記背面と対向する端壁とを有し、
前記光学部品の側面は、接着剤を介して前記支持部材の側壁にそれぞれ固定され、
前記接着剤は前記側壁の凹凸部の表面にも付着し、
前記光学部品の背面は、第２接着剤を介して前記支持部材の端壁に固定され、
前記光学部品の背面と前記端壁との間に配置されたスペーサ部材を更に備える
光モジュール。
【請求項８】
前記スペーサ部材は、前記端壁に係合する係合部を有する請求項７に記載の光モジュール。
【発明の詳細な説明】
【技術分野】
【０００１】
本発明は光モジュールに関する。
【背景技術】
【０００２】
データセンター等のネットワークシステムでは、サーバとサーバの間や、サーバとスイッチングハブ等の中継装置の間を繋ぐ伝送媒体として、メタル線の外に、光ファイバも用いられている。
光ファイバを用いる場合、電気信号を光信号に、或いは、光信号を電気信号に変換する光モジュールが必要になる。
【０００３】
光モジュールは、光電変換素子及び光電変換素子と光ファイバの端部とを光学的に接続するためのレンズブロックを有する。光電変換素子及びレンズブロックは回路基板上に固定され、レンズブロックには、光ファイバの端部に取り付けられた光コネクタが接続される。
【０００４】
例えば特許文献１が開示する光モジュールでは、レンズブロックが回路基板に接着剤を用いて固定され、レンズブロックの近傍に、光コネクタからの押し圧を受ける受圧面を有するレンズ補強材が配置される。特許文献１が開示する光モジュールでは、光コネクタ接続時の押し圧をレンズ補強材で受けるので、レンズブロックと回路基板との連結部分にストレスが発生しない。
【先行技術文献】
【特許文献】
【０００５】
【特許文献１】特許公開公報２００８−２２４９５４号
【発明の概要】
【発明が解決しようとする課題】
【０００６】
レンズブロックの固定方法として、回路基板に固定されたレンズホルダに対し、接着剤を用いてレンズブロックを固定することも考えられる。そして、光コネクタは、レンズブロックに対して直接押し当てられて接続される。
この固定方法では、光コネクタ接続時の押し圧が、レンズブロックとレンズホルダの間の接着部分に加わる。押し圧が大きい場合には、レンズブロックとレンズホルダの間の接着が剥がれるという問題が生じる可能性がある。
【０００７】
本発明は、上述した事情に鑑みてなされ、その目的とするところは、支持部材に光学部品が安定に固定される光モジュールを提供することにある。
【課題を解決するための手段】
【０００８】
上記目的を達成するため、本発明の一態様によれば、回路基板と、回路基板に実装された光電変換素子と、光ファイバの端部に取り付けられた光コネクタに直接押し当てられて接続され、前記光ファイバの端部と前記光電変換素子とを光学的に結合するための光学部品と、前記回路基板に固定され、前記光学部品を支持する支持部材とを備え、前記光学部品は、前記光コネクタと対向させられる連結面及び前記光コネクタの接続方向と直交する方向にて相互に離間した１対の側面を有し、前記支持部材は、前記光学部品の側面とそれぞれ対向する１対の側壁、及び、前記側壁に設けられ、前記光学部品の側面に向けて凹状若しくは凸状の凹凸部を有し、前記光学部品の側面は、接着剤を介して前記支持部材の側壁にそれぞれ固定され、前記接着剤は前記側壁の凹凸部の表面にも付着している光モジュールが提供される。
【発明の効果】
【０００９】
本発明によれば、光学部品が支持部材に対し安定に固定される光モジュールが提供される。
【図面の簡単な説明】
【００１０】
【図１】第１実施形態の光モジュールを備える光アクティブケーブルの概略的な構成を示す斜視図である。
【図２】図１の光アクティブケーブルにおける、光モジュール近傍を拡大して示す斜視図である。
【図３】図２の光モジュールを分解して示す概略的な斜視図である。
【図４】図２中の第１回路基板（第２回路基板）を実装される部品とともに概略的に示す斜視図である。
【図５】図４の分解斜視図である。
【図６】図３のレンズブロック周辺を拡大して概略的に示す平面図である。
【図７】図２の光モジュールの組み立てに際し、レンズホルダに対するレンズブロックの取付方法を説明するための概略的な斜視図である。
【図８】図６中の領域ＶＩＩＩを拡大して示す平面図である。
【図９】第２実施形態の光モジュールに適用される第１回路基板（第２回路基板）を実装される部品とともに概略的に示す斜視図である。
【図１０】図９中のスペーサ部材を拡大して示す概略的な斜視図である。
【図１１】第２実施形態の光モジュールの図８に相当する平面図である。
【発明を実施するための形態】
【００１１】
〔第１実施形態〕
以下、図面を参照して本発明の第１実施形態について説明する。
図１は、第１実施形態の光モジュール１０を備える光アクティブケーブル１２の構成を概略的に示す斜視図である。光アクティブケーブル１２は、１本の光ケーブル１４と、光ケーブル１４の両端に取り付けられた２個の光モジュール１０からなる。光アクティブケーブル１２は、例えば、１０ギガビット×１２チャンネルのパラレル通信用であり、サーバとサーバの間や、サーバとスイッチングハブ等の中継装置との間の接続に適用される。従って、光モジュール１０は光トランシーバである。
【００１２】
図２は、光ケーブル１４の一部とともに、光モジュール１０を拡大して示す斜視図である。
光モジュール１０は例えば金属製のハウジング１６を有し、ハウジング１６は段付きの箱形状を有する。ハウジング１６の長手方向でみて、ハウジング１６の一端からは、シール部材１８を介して光ケーブル１４が延出している。一方、ハウジング１６の長手方向でみて、ハウジング１６の他端には、開口が形成されている。
【００１３】
ハウジング１６の開口内には、例えば２枚の回路基板、即ち、第１回路基板２０及び第２回路基板２２の端部が位置している。第１回路基板２０及び第２回路基板２２の端部は、中継装置に設けられたスロットに挿入可能である。ハウジング１６は、相互に分離可能な第１ケース２４及び第２ケース２６からなる。第１ケース２４及び第２ケース２６は、例えば２本の螺子２８を用いて相互に固定される。
【００１４】
図３は、光モジュール１０を分解して概略的に示す斜視図である。
第１回路基板２０と第２回路基板２２との間には、スペーサ３０が配置されている。スペーサ３０によって、第１回路基板２０と第２回路基板２２の間隔が規定されるとともに、ハウジング１６内での第１回路基板２０及び第２回路基板２２の位置が規定されている。
【００１５】
第１ケース２４の端壁３２及び第２ケース２６の端壁３４には切欠きがそれぞれ設けられ、これら切欠きは、ハウジング１６の端壁において合致して一つの開口を形成する。この開口に中空のシール部材１８の一端が嵌合される。光ケーブル１４は、例えば、２本の光ファイバの束３６，３６と、光ファイバの束３６，３６を覆う被覆３８からなる。各光ファイバの束３６，３６は、複数の光ファイバを含み、シール部材１８を通じて、ハウジング１６の内部まで延びている。
【００１６】
図４は、第１回路基板２０を実装された部品とともに拡大して示す斜視図である。なお、第１回路基板２０は、実装される部品も含め、第２回路基板２２と略同じ構成を有する。従って、図４は、第２回路基板２２を実装された部品とともに拡大して示す斜視図でもある。そして、図５は、図４の分解斜視図である。
【００１７】
図４及び図５に示したように、第１回路基板２０及び第２回路基板２２は、例えばガラスエポキシ製の基板本体４０をそれぞれ有し、基板本体４０には四角形の切欠きが形成されている。そして、切欠きに宛がうように、基板本体４０には金属製のベース板４２が取り付けられている。つまり、第１回路基板２０及び第２回路基板２２の各々は、基板本体４０及びベース板４２によって構成され、全体として長方形の外形形状を有する。
【００１８】
ベース板４２上には、例えば、複数の光電変換素子からなる光電変換素子アレイ４４が配置されている。光電変換素子は、面発光レーザ等の発光素子又はフォトダイオード等の受光素子である。
また、ベース板４２上には、光電変換素子アレイ４４と電気的に接続された集積回路４６が実装されている。集積回路４６と光電変換素子アレイ４４とは、例えばワイヤボンディング等によって電気的に接続されている。
具体的には、集積回路４６は、光電変換素子が発光素子の場合、発光素子を駆動する駆動回路であり、光電変換素子が受光素子の場合、受光素子からの電気信号を増幅する増幅回路である。
【００１９】
第１回路基板２０及び第２回路基板２２の端部には、複数の電極端子４８が配列され、第１回路基板２０及び第２回路基板２２の基板本体４０には、図示しないけれども、各電極端子４８からベース板４２の近傍まで延びる複数の配線パターンが形成されている。そして、配線パターンの端部と集積回路４６との間も、例えばワイヤボンディングによって電気的に接続されている。従って、電極端子４８は、集積回路４６と電気的に接続されている。
【００２０】
更に、ベース板４２上には、レンズホルダ（支持部材）５０が、例えばレーザ溶接によって固定されている。レンズホルダ５０は金属製であり、平面でみたときにコの字形状若しくは角張ったＵ字形状を有する。従って、レンズホルダ５０は、コの字の縦棒に相当する１つの端壁５２と、コの字の横棒に相当し、端壁５２の両端に一体に連なる２つの側壁５４，５４とを有する。
【００２１】
レンズホルダ５０は、レンズブロック（光学部品）５６の三方を囲むようにして支持している。レンズブロック５６は、一体成形された樹脂からなり、レンズ要素とミラー要素を含んでいる。レンズブロック５６は、略直方体の外形形状を有し、レンズホルダ５０の端壁５２と対向する背面５８、レンズホルダ５０の側壁５４，５４と対向する２つの側面６０，６０を有する。
【００２２】
また、レンズブロック５６は、背面５８とは反対側に位置する連結面６２を有する。連結面６２は、レンズホルダ５０の側壁５４，５４によって規定される開口側に位置しており、連結面６２には、開口に向けて突出する２本のガイドピン６４，６４が取り付けられている。
【００２３】
一方、ハウジング１６の内部に位置する各光ファイバの束３６，３６の先端、則ち、複数の光ファイバの先端には、光コネクタとして、ＭＴ（Ｍｅｃｈａｎｉｃａｌｌｙ  Ｔｒａｎｓｆｅｒａｂｌｅ）フェルール７０が取り付けられている。ＭＴフェルール７０は、レンズホルダ５０の開口を通じて、レンズブロック５６に連結される。
【００２４】
この際、ＭＴフェルール７０は、ガイドピン６４，６４に案内されながら連結されるので、連結方向は、レンズブロック５６の連結面６２と背面５８の離間方向に平行であり、レンズホルダ５０の側壁５４，５４同士の離間方向に垂直である。
ＭＴフェルール７０がレンズブロック５６に連結されると、複数の光ファイバの端部は、レンズブロック５６を介して、光電変換素子アレイ４４の光電変換素子と光学的にそれぞれ結合される。
【００２５】
ＭＴフェルール７０の抜けを防止するため、第１回路基板２０及び第２回路基板２２には、フェルールホルダ７２が固定される。フェルールホルダ７２は、平面でみたときにコの字形状若しくは角張ったＵ字形状を有し、レンズホルダ５０に対向するように配置されている。則ち、レンズホルダ５０及びフェルールホルダ７２は、互いに自身の開口を相手に向けるように配置されている。
フェルールホルダ７２とＭＴフェルール７０との間には圧縮コイルばね７４が配置され、ＭＴフェルール７０は、圧縮コイルばね７４によってレンズブロック５６に対し付勢された状態で連結される。
【００２６】
〔レンズブロック支持構造〕
以下、レンズホルダ５０によるレンズブロック５６の支持構造について説明する。
図６はレンズブロック５６の周辺を拡大して示す概略的な平面図である。
図６に示したように、レンズホルダ５０の端壁５２とレンズブロック５６の背面５８とは、これらの間に付与して硬化させられた接着剤からなる第１接着部８０によって相互に固定されている。レンズホルダ５０の端壁５２及びレンズブロック５６の背面５８はいずれも平坦であり、略平行であるため、第１接着部８０は層状をなしている。
【００２７】
一方、レンズホルダ５０の側壁５４，５４とレンズブロック５６の側面６０，６０との間は、これらの間に付与して硬化させられた接着剤からなる第２接着部８２，８２によって相互に固定されている。
【００２８】
ここで、図４及び図５を合わせて参照すると、レンズホルダ５０の側壁５４，５４には、レンズブロック５６の側面６０，６０と対向する領域に、切欠き８４が形成されている。切欠き８４は、側壁５４を厚さ方向に貫通しており、側壁５４の内面及び外面にて開口している。
また切欠き８４は、第１回路基板２０及び第２回路基板２２の厚さ方向に延び、第１回路基板２０及び第２回路基板２２とは逆側に位置する側壁５４，５４の辺縁にて開口している。
【００２９】
一方、レンズブロック５６の側面６０，６０には、第１回路基板２０及び第２回路基板２２の厚さ方向に延びる半円筒形状の溝８６，８６が形成されている。
従って、図６に示したように、第２接着部８２，８２は、側壁５４と側面６０との間の層状の部分（層状部）８２ａ，８２ａと、切欠き８４，８４の内部に充填された部分（切欠き充填部）８２ｂ，８２ｂと、溝８６，８６の内部に充填された部分（溝充填部）８２ｃ，８２ｃとからなる。当然のことながら、層状部８２ａ、切欠き充填部８２ｂ及び溝充填部８２ｃは一体をなしている。
【００３０】
以下、第１実施形態の光モジュール１０を組み立てる際における、第１回路基板２０に対するレンズホルダ５０及びレンズブロック５６の好ましい取り付け方法について説明する。なお当然のことながら、この取り付け方法は、第２回路基板２２にも適用可能である。
【００３１】
まず、光電変換素子アレイ４４及び集積回路４６が実装された第１回路基板２０のベース板４２に、レンズホルダ５０をレーザ溶接する。
次に、図７に示したように、ＭＴフェルール７０が連結された状態のレンズブロック５６をレンズホルダ５０内に配置する。この状態で、光電変換素子アレイ４４を作動させながら、光ファイバの束３６中の光ファイバと光電変換素子アレイ４４との間の光学的な結合効率が最大になるよう、レンズブロック５６の位置を微調整（調芯）する。
【００３２】
なお調芯の際には、レンズホルダ５０に対し、ある程度の範囲にてレンズブロック５６を変位させる必要がある。このため、レンズホルダ５０の端壁５２及び側壁５４とレンズブロック５６の背面５８及び側面６０との間には、所定大きさの隙間が確保されている必要がある。
【００３３】
そして、結合効率が最大の位置にて、レンズホルダ５０の端壁５２とレンズブロック５６の背面５８との間、及び、レンズホルダ５０の側壁５４とレンズブロック５６の側面６０との間に紫外線硬化型の接着剤を注入する。そして、注入された接着剤に紫外線を照射して硬化させ、第１接着部８０及び第２接着部８２，８２を形成する。
【００３４】
これにより、第１回路基板２０に対するレンズホルダ５０及びレンズブロック５６の取り付けが終了する。
なお、フェルールホルダ７２は、第１接着部８０及び第２接着部８２，８２の形成後に、ＭＴフェルール７０を囲むようにして第１回路基板２０に固定される。この際、フェルールホルダ７２とＭＴフェルール７０との間に、圧縮コイルばね７４が配置される。
【００３５】
上述した第１実施形態の光モジュール１０によれば、レンズホルダ５０が側壁５４に切欠き８４を有し、切欠き８４の内部にも接着剤が充填されている。圧縮コイルばね７４の付勢力に基づいてレンズブロック５６に作用する力は、レンズホルダ５０の側壁５４及びレンズブロック５６の側面６０に対して平行である。
【００３６】
このため、レンズブロック５６に作用する力は、第２接着部８２の層状部８２ａと切欠き充填部（凹凸充填部）８２ｂとの境界では、境界に平行な剪断力として作用する。そしてこのとき、図８に矢印で示したように、切欠き充填部８２ｂは、剪断力の方向に対し垂直な切欠き８４の壁面からの軸性の力Ｆ１によって支持される。従って、レンズブロック５６の側面６０は、切欠き充填部８２ｂを介し、レンズホルダ５０の側壁５４の剛性を利用して強固に支持される。
【００３７】
これにより、レンズホルダ５０の端壁５２とレンズブロック５６の背面５８との間の第１接着部８０の圧縮が抑制され、第１接着部８０の変形が抑制される。この結果として、この光モジュール１０によれば、レンズブロック５６がレンズホルダ５０によって長期に渡り安定に固定される。
【００３８】
また上述した第１実施形態の光モジュール１０によれば、好ましい態様として、切欠き８４がレンズホルダ５０の側壁５４を貫通しているので、切欠き８４を通じて、側壁５４と側面６０との間の接着剤に紫外線を照射することができる。この結果、この光モジュールは組み立てが容易である。
その上、切欠き８４はプレス成形等によって容易に形成される。よって、この光モジュール１０は生産性が高い。
【００３９】
上述した第１実施形態の光モジュール１０によれば、好ましい態様として、レンズブロック５６が側面６０に溝８６を有し、溝８６内にも接着剤が充填されている。圧縮コイばね７４の付勢力に基づいてレンズブロック５６に作用する力は、レンズブロック５６の側面６０からレンズホルダ５０の側壁５４に作用し、層状部８２ａと溝充填部（凸凹充填部）８２ｃとの境界では、境界に平行な剪断力として作用する。
【００４０】
そしてこのとき、図８に矢印で示したように、溝８６の壁面は剪断力の方向に対して平行ではなく、溝充填部８６は、溝８６の壁面からの軸性の力Ｆ２によって押される。従って、レンズブロック５６に作用する力は、溝充填部８２ｃを介して、レンズホルダ５０の側壁６０に効率的かつ確実に分散される。
【００４１】
これにより、レンズホルダ５０の端壁５２とレンズブロック５６の背面５８との間の第１接着部８０に作用する力が低減され、第１圧縮部８０の圧縮がより抑制される。この結果として、この光モジュール１０によれば、レンズブロック５６がレンズホルダ５０によって長期に渡りより安定に固定される。
【００４２】
〔第２実施形態〕
以下、図面を参照しながら、第２実施形態の光モジュール１００について説明する。第２実施形態の光モジュール１００の外観は、第１実施形態の光モジュール１０の外観と同じであり、このため、図２は、第２実施形態の光モジュール１００も示している。なお、第１実施形態と同一の構成については同一の符号を付して説明を省略する。
【００４３】
第２実施形態の光モジュール１００は、図９に示したように、スペーサ部材１０２を備える点において、第１実施形態の光モジュール１０と異なる。
より詳しくは、図１０に示したように、スペーサ部材１０２は、例えば金属からなる、四角形の平板形状の本体部１０２ａを有する。
【００４４】
そして好ましい態様として、スペーサ部材１０２は、本体部１０２ａの一辺に例えば直角に連なる平板形状の係合部１０２ｂを有する。従って、スペーサ部材１０２は、Ｌ字形状の断面形状を有する。
図１１に示したように、スペーサ部材１０２の本体部１０２ａは、レンズホルダ５０の端壁５２とレンズブロック５６の背面５８との間に配置される。
【００４５】
以下、第２実施形態の光モジュール１００を組み立てる際における、第１回路基板２０に対するレンズホルダ５０及びレンズブロック５６の好ましい取り付け方法について説明する。
この場合、第１実施形態の場合と同様に調芯を行ってから、結合効率が最大の位置にて、レンズホルダ５０の端壁５２とレンズブロック５６の背面５８との間に、スペーサ部材１０２の本体部１０２ａを挿入する。
【００４６】
それから、レンズホルダ５０の端壁５２とレンズブロック５６の背面５８との間、及び、レンズホルダ５０の側壁５４とレンズブロック５６の側面６０との間に紫外線硬化型の接着剤を注入する。そして、注入された接着剤に紫外線を照射して硬化させ、第１接着部８０及び第２接着部８２，８２を形成する。
【００４７】
上述した第２実施形態の光モジュール１００は、第１実施形態の光モジュール１０と同じ効果を奏するとともに、更に以下の効果も奏する。
まず、上述した第２実施形態の光モジュール１００によれば、レンズホルダ５０の端壁５２とレンズブロック５６の背面５８との間にスペーサ部材１０２の本体部１０２ａが配置されることによって、端壁５２と背面５８との間に存在する第１接着部８０が薄くなる。
【００４８】
端壁５２と背面５８との間の第１接着部８０が薄くなると、圧縮コイルばね７４の付勢力に基づいてレンズブロック５６に力が作用したとき、第１接着部８０の変形量が減るので、第１接着部８０の耐久性が高くなる。
この結果、この光モジュール１００によれば、レンズブロック５６がレンズホルダ５０によって長期に渡りより安定に固定される。
【００４９】
また、上述した第２実施形態の光モジュール１００によれば、スペーサ部材１０２の本体部１０２ａを挿入したとき、レンズホルダ５０の端壁５２の縁に係合部１０２が当接することにより、挿入方向でのスペーサ部材１０２の位置が決定される。このため、本体部１０２ａがベース板４２上の集積回路４６に衝突するような不具合もなく、光モジュール１００は容易に組み立てられる。
【００５０】
本発明は、上述した第１及び第２実施形態に限定されることはなく、上述した第１及び第２実施形態に変更を加えた形態も含む。
例えば、上述した第１及び第２実施形態の光モジュール１０，１００では、レンズホルダ５０の側壁５４に、側壁５４を貫通する切欠き８４が形成されていたけれども、切欠き８４に代えて、側面６０に向けて凹状の溝や凹みが側壁５４に形成されていてもよい。
【００５１】
或いは、切欠き８４に代えて、側面６０に向けて凸状の突条や突起が側壁５４に形成されていてもよい。また、切欠き８４に代えて、例えばプレス加工によって、側面６０に向けて凹状又は凸状の膨出部を側壁６０に形成してもよい。
つまり、レンズホルダ５０の側壁５４に、レンズブロック５６の側面６０に向けて凹状又は凸状の凹凸部が形成されていればよい。なお、凹凸部の数は特に限定されることはなく、複数であってもよい。
【００５２】
同様に、第１及び第２実施形態の光モジュール１０，１００では、好ましい態様として、レンズブロック５６の側面６０に、溝８６が形成されていたけれども、溝８６以外の点状の凹み、突条又は突起が形成されていてもよい。つまり、好ましい態様として、レンズホルダ５０の端壁５２に向けて凸状又は凹状の凸凹部を形成することができる。なお、凸凹部の数は特に限定されることはなく、複数であってもよい。
【００５３】
また、上述した第１及び第２実施形態の光モジュール１０，１００では、好ましい態様として、紫外線硬化型の接着剤を用いたけれども、熱硬化型の接着剤を用いてもよい。
更に、第２実施形態の光モジュール１００では、スペーサ部材１０２が好ましい態様として係合部１０２ｂを有していたけれども、スペーサ部材１０２は、本体部１０２ａを少なくとも有していればよい。
【００５４】
また更に、第１及び第２実施形態では、光学部品としてのレンズブロック５６によって、光ファイバの束３６中の複数の光ファイバの端部と光電変換素子アレイ４４との間が光学的に結合されていたけれども、レンズブロック５６中の光学的要素の構成は、特に限定されることはない。
【００５５】
一方、第１及び第２実施形態では、好ましい態様として、第１回路基板２０及び第２回路基板２２がベース板４２を含み、ベース板４２に光学変換素子アレイ４４、集積回路４６、及び、レンズホルダ５０が実装されていたが、ベース板４２を省略してもよい。この場合、第１回路基板２０及び第２回路基板２２の基板本体４０に光学変換素子アレイ４４、集積回路４６、及び、レンズホルダ５０を固定してもよい。
【００５６】
最後に、本発明は、光ケーブルが脱着可能な光トランシーバにも適用可能であり、また光トランシーバに限らず、光ファイバが接続される光モジュールに適用可能である。
【符号の説明】
【００５７】
１０，１００                  光モジュール
２０                          第１回路基板
２２                          第２回路基板
３６                          光ファイバの束
５０                          レンズホルダ（支持部品）
５２                          端壁
５４                          側壁
５６                          レンズブロック（光学部品）
５８                          背面
６０                          側面
６２                          連結面
７０                          ＭＴフェルール（光コネクタ）
８０                          第１接着部
８２                          第２接着部
８２ａ                        層状部
８２ｂ                        切欠き充填部（凹凸充填部）
８２ｃ                        溝充填部（凸凹充填部）
８４                          切欠き（凹凸部）
８６                          溝（凸凹部）
【図１】
0005351850.tif 000002
【図２】
0005351850.tif 000003
【図３】
0005351850.tif 000004
【図４】
0005351850.tif 000005
【図５】
0005351850.tif 000006
【図６】
0005351850.tif 000007
【図７】
0005351850.tif 000008
【図８】
0005351850.tif 000009
【図９】
0005351850.tif 000010
【図１０】
0005351850.tif 000011
【図１１】
0005351850.tif 000012